(57)【要約】【課題】ノイズが漏洩しにくい画像形成装置を提供すること。【解決手段】スイッチングトランスＴ１のコア４０３の内部に発生する磁束の向きとコモンモードチョークコイルＴ２のコア６０３の内部に発生する磁束の向きとが直交するようにスイッチングトランスＴ１とコモンモードチョークコイルＴ２とが同一または異なる基板上に実装される。この配置により、スイッチングによりコア４０３の内部に発生する磁束が変化しても、コモンモードチョークコイルＴ２の第一巻線６０１や第二巻線６０２には誘導電流（ノイズ電流）が発生しにくくなる。【選択図】  図９
2018064185.tif 000002
【特許請求の範囲】
【請求項１】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生する磁束の向きと前記第二コアの内部に発生する磁束の向きとが直交するように前記スイッチングトランスと前記コモンモードチョークコイルとが基板上に実装されていることを特徴とする画像形成装置。
【請求項２】
前記第一コアのコア面と前記第二コアのコア面とが直交するように、前記第一コアと前記第二コアとが配置されていることを特徴とする請求項１に記載の画像形成装置。
【請求項３】
前記第一コイルに印加される一次交流電圧をスイッチングするスイッチング素子と、
前記スイッチングトランスにおいて前記第一コイルに印加された一次交流電圧が変換されて前記第二コイルから出力された二次交流電圧を整流および平滑する整流平滑回路と
をさらに有し、
前記スイッチング素子、前記スイッチングトランスおよび前記整流平滑回路は直流電源を形成していることを特徴とする請求項１または２に記載の画像形成装置。
【請求項４】
前記コモンモードチョークコイルと、通信回線網に対して前記コモンモードチョークコイルを介して接続されるインターフェース回路とを有し、前記通信回線網を介して接続された通信機器とファクシミリ通信を実行するファクシミリ制御部をさらに有することを特徴とする請求項１ないし３のいずれか一項に記載の画像形成装置。
【請求項５】
前記第一コアと前記第二コアとの距離は、
前記第一コアの内部に発生する磁束の向きと前記第二コアの内部に発生する磁束の向きとが平行となるように前記第一コアと前記第二コアが配置されると、前記通信回線網に対する不要送出が所定の規制値以下とならず、
前記第一コアの内部に発生する磁束の向きと前記第二コアの内部に発生する磁束の向きとが直交するように前記第一コアと前記第二コアが配置されると、前記通信回線網に対する不要送出が前記規制値以下となる
距離であることを特徴とする請求項４に記載の画像形成装置。
【請求項６】
前記スイッチングトランスと前記コモンモードチョークコイルとが同一の基板上に実装されていることを特徴とする請求項１ないし５のいずれか一項に記載の画像形成装置。
【請求項７】
前記スイッチングトランスが第一基板上に実装され、前記コモンモードチョークコイルが前記第一基板とは異なる第二基板上に実装されていることを特徴とする請求項１ないし５のいずれか一項に記載の画像形成装置。
【請求項８】
前記第一基板の実装面と前記第二基板の実装面とがほぼ同一平面となるように前記第一基板と前記第二基板とが前記画像形成装置に固定されていることを特徴とする請求項７に記載の画像形成装置。
【請求項９】
前記第一基板と前記第二基板とが直交するように前記第一基板と前記第二基板とが前記画像形成装置に固定されていることを特徴とする請求項７に記載の画像形成装置。
【請求項１０】
前記コモンモードチョークコイルは、前記第三コイルに流れるコモンモード電流によって前記第二コアの内部に発生する磁束の向きと、前記第四コイルに流れるコモンモード電流によって前記第二コアの内部に発生する磁束の向きとが同一であることによりコモンモードノイズを低減することを特徴とする請求項１ないし９のいずれか一項に記載の画像形成装置。
【請求項１１】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生した磁束のうち当該第一コアの外部に漏洩した磁束が前記第二コアを貫くことで前記コモンモードチョークコイルに発生するノイズ電流が所定の規制値以下となるように、前記第一コアのコア面に対して前記第二コアのコア面が傾斜していることを特徴とする画像形成装置。
【請求項１２】
前記第一コアのコア面と前記第二コアのコア面とがなす傾斜角度は９０度であることを特徴とする請求項１１に記載の画像形成装置。
【請求項１３】
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生した磁束のうち当該第一コアの外部に漏洩した磁束が前記第二コアを貫くことで前記コモンモードチョークコイルに発生するノイズ電流が所定の規制値以下となるように、前記第一コアと前記第二コアとが離間し、かつ、前記第一コアのコア面と前記第二コアのコア面とが傾斜していることを特徴とする画像形成装置。
【請求項１４】
商用交流電源から供給された交流電圧を直流電圧に変換する直流電源と、
コモンモードチョークコイルと、通信回線網に対して前記コモンモードチョークコイルを介して接続されるインターフェース回路とを有し、前記通信回線網を介して接続された通信機器とファクシミリ通信を実行するファクシミリ制御部と、
前記直流電源により供給された直流電圧により動作し、前記ファクシミリ制御部により受信された画像データに基づき画像を形成する画像形成部と
を有し、
前記直流電源は、
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
前記第一コイルに印加される一次交流電圧をスイッチングするスイッチング素子と、
前記スイッチングトランスにおいて前記第一コイルに印加された一次交流電圧が変換されて前記第二コイルから出力された二次交流電圧を整流および平滑する整流平滑回路と、を有し、
前記コモンモードチョークコイルは、第三コイルと、第四コイルと、第二コアとを有し、当該第二コアには当該第三コイルと当該第四コイルとが巻かれ、コモンモードノイズを低減するコモンモードチョークコイルであり、
前記第一コアの内部に発生する磁束の向きと前記第二コアの内部に発生する磁束の向きとが直交するように前記スイッチングトランスと前記コモンモードチョークコイルとが同一または異なる基板上に実装されていることを特徴とする画像形成装置。
【発明の詳細な説明】
【技術分野】
【０００１】
本発明は画像形成装置におけるノイズ対策に関する。
【背景技術】
【０００２】
電話回線を介してファクシミリ通信を実行するＦＡＸ機能を搭載している画像形成装置が市場には存在する。特許文献１によれば、電話回線を制御する制御回路であるＤＡＡ（データアクセスアレンジメント）を介して電話回線に接続することが記載されている。ＤＡＡはＮＣＵ（回線網制御ユニット）として機能する。
【先行技術文献】
【特許文献】
【０００３】
【特許文献１】特開２０１０−１７１６３６号公報
【発明の概要】
【発明が解決しようとする課題】
【０００４】
ところで、電話回線網から漏洩しようとするノイズのレベルを低減するために、回線Ｉ／Ｆ（インターフェース）部にコモンモードチョークコイルが実装されてもよい。近年では、Ａ４サイズ等のシートに画像を形成する小型化された画像形成装置にファクシミリ機能が搭載されることもある。画像形成装置の小型化によりスイッチング電源とファクシミリ基板とが隣接するようになると、スイッチング電源の電源トランスが発生する漏れ磁束がコモンモードチョークコイルに及ぶことが考えられる。つまり、コモンモードチョークコイルに磁束が貫くことで発生した誘導電流（ノイズ電流）が、コモンモードチョークコイルから電話回線網へ流れてしまう。そこで、本発明は、ノイズが漏洩しにくい画像形成装置を提供することを目的とする。
【課題を解決するための手段】
【０００５】
本発明によれば、たとえば、
第一コイルと、第二コイルと、第一コアとを有し、当該第一コアには当該第一コイルと当該第二コイルとが巻かれ、当該第一コイルに流れる電流によって当該第一コアの内部に発生した磁束によって当該第二コイルに二次側電流が発生するスイッチングトランスと、
第三コイルと、第四コイルと、第二コアとを有し、当該第二コアには当該第三コイルと当該第四コイルとが巻かれ、コモンモードノイズを低減するコモンモードチョークコイルと、を有し、
前記第一コアの内部に発生する磁束の向きと前記第二コアの内部に発生する磁束の向きとが直交するように前記スイッチングトランスと前記コモンモードチョークコイルとが基板上に実装されていることを特徴とする画像形成装置が提供される。
【発明の効果】
【０００６】
本発明によればノイズが漏洩しにくい画像形成装置が提供される。
【図面の簡単な説明】
【０００７】
【図１】画像形成装置の断面図
【図２】複数の基板の配置を説明する図
【図３】コントローラのブロック図
【図４】直流電源の回路図
【図５】ＦＡＸ制御部のブロック図
【図６】コモンモードチョークコイルを説明する図
【図７】ノイズの発生原理を説明する図
【図８】測定結果を示す図
【図９】ノイズの提言原理を説明する図
【発明を実施するための形態】
【０００８】
＜画像形成装置＞
図１は画像形成装置１０の前面側から見た画像形成装置１０の模式的な断面図である。図１によれば、画像形成装置１０は、原稿を読み取る読取部１６と画像形成エンジン１５とを有している。画像形成エンジン１５はイエロー（Ｙ）、マゼンタ（Ｍ）、シアン（Ｃ）、ブラック（Ｋ）といった４色のトナーを重畳して多色画像を形成する４つの像形成ステーション（画像形成部）を有している。参照符号の末尾に付与されたｙｍｃｋの文字はトナーの色を示しているが、四色に共通する事項が説明されるときはｙｍｃｋの文字が省略される。感光体１は静電潜像やトナー画像を担持するドラム状の像担持体である。帯電装置の帯電ローラ２は感光体１に対して帯電電圧を印加し、感光体１の表面を一様に帯電させる。帯電電圧は、直流電圧に交流電圧を重畳させて生成される。露光装置３はレーザ光源と回転多面鏡を有する走査光学装置である。露光装置３は、画像データに応じてレーザ光を変調して出力し、回転多面鏡でレーザ光を偏向する。これにより、レーザ光が感光体１の表面を走査し、画像データに対応した静電潜像が形成される。このように、露光装置３は静電潜像を形成するために一様に帯電した感光体の表面を露光する露光手段として機能する。現像器４はトナーを収容しており、現像スリーブを介してトナーを静電潜像に付着させてトナー画像を形成する。一次転写ローラ６は感光体１と協働して中間転写ベルト５を挟持しており、感光体１に担持されているトナー画像を中間転写ベルト５に転写する。４色のトナー画像が順番に中間転写ベルト５に転写されることで多色画像が形成される。中間転写ベルト５はトナー画像を二次転写部に搬送する。二次転写部では二次転写ローラ対７が中間転写ベルト５と、給紙カセット９から給紙されたシートＰとを挟持しながら搬送する。これにより、中間転写ベルト５に担持されている多色のトナー画像がシートＰに転写される。定着装置８は、シートＰとトナー画像に熱と圧力を加えることで、トナー画像をシートＰに定着させる。
【０００９】
＜基板の配置＞
図２（Ａ）は画像形成装置１０の背面側から見た画像形成装置１０の模式的な断面図（Ｃ−Ｃ’断面図）である。図２（Ｂ）は画像形成装置１０の右面側から見た画像形成装置１０の模式的な断面図（Ｂ−Ｂ’断面図）である。図２（Ｃ）は画像形成装置１０の左面側から見た画像形成装置１０の模式的な断面図（Ａ−Ａ’断面図）である。
【００１０】
これらの図面によれば、画像処理コントローラ２００、直流電源２０１、ＦＡＸ制御部２０２およびエンジンコントローラ２０３はそれぞれ異なる基板上に実装されている。なお、２００〜２０３は基板を指しているものと理解されてもよい。画像処理コントローラ２００、直流電源２０１、ＦＡＸ制御部２０２およびエンジンコントローラ２０３のうちで画像処理コントローラ２００は最背面に配置されている。直流電源２０１、ＦＡＸ制御部２０２およびエンジンコントローラ２０３は、画像処理コントローラ２００よりも画像形成装置１０の前面側に配置されている。さらに、直流電源２０１、ＦＡＸ制御部２０２およびエンジンコントローラ２０３はほぼ同じ平面に配置されている。
【００１１】
直流電源２０１とＦＡＸ制御部２０２は隣接して配置されているため、直流電源２０１が発生するスイッチングノイズがＦＡＸ制御部２０２に及びうる。このような近接配置は、ファクシミリ機能を備えた画像形成装置１０の小型化によって一般的になりうるだろう。
【００１２】
図３は画像形成装置１０の制御システムを示すブロック図である。画像形成装置１０はエンジンコントローラ２０３と画像処理コントローラ２００といった２つのコントローラを備えている。
【００１３】
エンジンコントローラ２０３は、シートＰを搬送するモータ類３０７、定着装置８、中間転写ベルト５、高圧電源３１３、露光装置３、四つの画像形成ステーションを制御する。ＣＰＵ３０１は画像形成制御を担当するＣＰＵであり、制御手順（制御プログラム）を記憶した読み取り専用メモリ（以下では、ＲＯＭ３０３と称する。）から制御プログラムを順次読み取り、実行する。ＣＰＵ３０１と各負荷はアドレスバスとデータバスによって接続されている。ランダムアクセスメモリ（以下では、ＲＡＭ３０４と称する。）は、入力データの記憶や作業用記憶領域等として用いられる。不揮発性ＲＡＭ３２０は画像形成動作に関するパラメータの記憶領域として使用される。Ｉ／Ｏインターフェース３０６には、モータ類３０７、センサ類３１０、スイッチ類３１２、高圧電源３１３、定着装置８の各負荷が接続されている。モータ類３０７は、給紙系と搬送系を駆動する駆動源である。センサ類３１０は、たとえば、搬送系によって搬送されるシートＰを検知するシートセンサを含む。スイッチ類３１２は、各負荷のホームポジション等を検知するスイッチを含む。高圧電源３１３は、ＣＰＵ３０１が出力する指示に従って、帯電ローラ２、現像器４、一次転写ローラ６、二次転写ローラ対７へ高圧（高電圧）を生成して印加する。ＣＰＵ３０１は、Ｉ／Ｏインターフェース３０６を介してオン・オフ信号を定着装置８に出力し、定着装置８のヒータをオン・オフする。
【００１４】
画像処理コントローラ２００は、読取部１６やＰＣなどの外部接続機器から受信した画像信号に対して画像処理（色空間の変換やガンマ補正など）を実行し、画像データを作成し、露光装置３に供給する。ＰＣはパーソナルコンピュータの略称である。画像処理コントローラ２００は外部接続機器や操作部３８１に接続されたＵＳＢメモリ等の記憶媒体に対して、画像処理を施した画像データを格納してもよい。画像処理コントローラ２００に搭載されるＣＰＵ３５１は、画像処理手順（画像処理プログラム）を記憶したＲＯＭ３５３からプログラムを順次読み取り、実行する。また、ＲＡＭ３５４は、入力データの記憶や作業用の記憶領域等として用いられる主記憶装置である。記録処理ＩＣ３５７は、読取部１６や外部接続機器からの画像信号に対して画像処理を実行し、露光装置３に供給される画像データを生成する。記録処理ＩＣ３５７は、画像信号線を介して画像データを露光装置３に送信することで画像データに応じてレーザ光源を点灯させる。Ｉ／Ｏインターフェース３５６は、読取部１６のモータ類３７３やセンサ類３７５等が接続される。モータ類３７３は原稿を搬送する搬送ローラなどを駆動する。センサ類３７５は原稿の有無などを検知するセンサを含む。読取処理ＩＣ３６０は、読取部１６の読取制御ＩＣ３７１を介して読取センサ３７２から画像データを受信して所定の画像処理を実行したり、読取センサ３７２を駆動したりする。画像処理ＲＡＭ３５９は、読取処理ＩＣ３６０が受信した画像データや、外部接続機器から受信した画像データに対して画像処理を実行する際に、画像データを一時的に格納する記憶領域として使用される。ＣＰＵ３５１は、Ｉ／Ｏインターフェース３５２を介してＬＡＮコントローラ３５８、操作部３８１およびＦＡＸ制御部２０２と接続している。ＬＡＮコントローラ３５８はＬＡＮケーブルを介して接続される外部接続機器との通信を制御する。操作部３８１は、操作者から指示を受け付けたり、操作者に情報を出力したりするユーザーインタフェースである。ＦＡＸ制御部２０２はファクシミリ通信を制御する。
【００１５】
図４（Ａ）は直流電源２０１の回路図である。直流電源２０１は、商用交流電源などの交流電源４００から供給される交流電圧（例：ＡＣ１００Ｖ）を直流電圧（例：＋２４Ｖ）に変換して出力する電源装置である。この直流電圧は、エンジンコントローラ２０３、画像処理コントローラ２００および読取部１６に供給される。直流電圧は必要に応じてＤＣ／ＤＣコンバータにより低い直流電圧（例：＋１２Ｖ、＋５Ｖ、＋３．３Ｖ）に変換されて供給されてもよい。交流電源４００と接続された二本の電源ラインのうち一方には電流ヒューズ４３２が挿入されている。電流ヒューズ４３２は交流電源４００から過電流が供給されたときに直流電源２０１を保護するためのヒューズである。ブリッジダイオード４３４は交流電圧を整流する整流回路である。平滑コンデンサ４３５は、ブリッジダイオード４３４が出力する電圧を平滑化し、スイッチングトランスＴ１の一次側に印加するコンデンサである。スイッチングＦＥＴ４３６は、ゲートに供給される制御信号に応じて、スイッチングトランスＴ１の一次側コイルに流れる一次電流をスイッチングするスイッチング素子である。整流回路４３８はスイッチングトランスＴ１の二次側に出力される電圧を整流および平滑化する回路である。
【００１６】
図４（Ｂ）は一般的なスイッチングトランスＴ１の構造を示している。スイッチングトランスＴ１は、一次巻線４０１と、二次巻線４０２と、鉄心やフェライトコアなどのコア４０３とを有している。一次巻線４０１と二次巻線４０２はコア４０３に巻かれている。スイッチングトランスＴ１に接続されるスイッチングＦＥＴ４３６がオフ／オンされると、一次巻線４０１のＡ−Ｂ間に電流の変化が生じる。すると、レンツの法則により、電流の変化を妨げるように電流方向とは逆向きの起電力（逆起電力）が発生する。そして、コア４０３の内部には点線の矢印が示す方向の磁束が発生する。この磁束が変化することにより、二次巻線４０２のＣ−Ｄ間にも起電力（誘導起電力）が発生して誘導電流が流れる。
【００１７】
図５はＦＡＸ制御部２０２のブロック図である。モデム５０２は、画像処理コントローラ２００に接続されており、ＣＰＵ３５１により制御されて動作する変復調器である。モデム５０２は、ファクシミリ送信の対象となる、読取部１６で読み取られた画像データの変調処理と、通信回線５３０を介して受信した信号の復調処理を行う。モデム５０２は、絶縁素子５０３を介してＳＤＡＡ５０４と接続されている。ＳＤＡＡはシリコン・データ・アクセス・アレンジメントの略称である。ＳＤＡＡ５０４は半導体ＮＣＵ（ネットワーク制御ユニット）として機能する。ＳＤＡＡ５０４は直流捕捉回路５５２を通じて通信回線５３０の直流捕捉状態を制御する。ＳＤＡＡ５０４は通信回線５３０の電圧をモニタする機能を有する。ＳＤＡＡ５０４は通信回線５３０に流れる電流をモニタする機能を有する。ＳＤＡＡ５０４は通信回線５３０上で伝送されるダイアルトーン信号をモニタする機能を有する。
【００１８】
直流捕捉回路５５２はＳＤＡＡ５０４の周辺回路であり、トランジスタなどの電流源により構成される。直流捕捉回路５５２は、電流源の電流を調整することで直流捕捉を行いながら、ＳＤＡＡ５０４により制御されて直流インピーダンスの調整を行う。直流捕捉回路５５２は、回線開放状態を作り出したり、通信回線５３０に対する選択信号の一種であるダイヤルパルスを送出したりする。整流回路５５５は、ダイオードブリッジ等を有し、通信回線５３０からの信号を整流してＳＤＡＡ５０４側へ出力する。受信回路５５３は、通信回線５３０を介してファクシミリ信号などを受信するためのインターフェース回路である。整合回路５５４は、通信中の交流インピーダンスを所定値に整合させる回路である。日本の場合、所定値は６００オームである。
【００１９】
ノイズフィルタ５５６は、通信回線５３０からの雷サージや電磁ノイズなどを低減するとともに、画像形成装置１０が発生するノイズが通信回線５３０へ送出されることを抑制する回路である。このノイズフィルタ５５６はコモンモードチョークコイルＴ２などを有する。
【００２０】
ＣＩ検知回路５０８は、ノイズフィルタ５５６を介し、通信回線５３０に接続されており、通信回線５３０から受信した呼び出し信号（以下では、「ＣＩ信号」と称する。）を検知する。ＣＩ検知回路５０８はＣＩ信号を検知すると、そのことを示すＣＩ検知信号をＣＰＵ３５１に対して送信する。ＣＰＵ３５１は、ＣＩ検知信号に基づいて、通信回線５３０からＣＩ信号の着信があったか否かを判定する。
【００２１】
Ｈリレー５１０は、フック検知回路５１７を介して接続される外付けの電話機５２８を疑似ＣＩ回路５１６または通信回線５３０に接続する回路である。Ｈリレー５１０は、切替手段の一例であり、外付けの電話機５２８を通信回線５３０へ接続した接続状態と、通信回線５３０から切断した切断状態とを切り替える。また、Ｈリレー５１０は、リレー駆動信号５１１を用いて、ＣＰＵ３５１によって制御される。なお、図５が示すようにＨリレー５１０で電話機５２８が通信回線５３０から切り離されている場合、ＣＩ信号が受信されても電話機５２８は鳴動しない。いわゆるファクシミリ装置の無鳴動着信が実現される。フック検知回路５１７は、検知手段の一例であり、電話機５２８と接続されており、電話機５２８のオフフックまたはオンフックを検知する回路である。フック検知回路５１７は、電話機５２８のオフフック又はオンフックの検知結果を、フック検知信号を用いてＣＰＵ３５１へ伝達する。ＣＰＵ３５１は、フック検知信号に基づいて、電話機５２８におけるフックの状態を判定する。フック検知回路５１７は、Ｈリレー５１０によって、通信回線５３０に直接接続された場合、および、疑似ＣＩ回路５１６に接続された場合の何れも、電話機５２８に流れる電流を検知する。これによって、フック検知回路５１７は、電話機５２８におけるオフフックまたはオンフックを検知する。
【００２２】
疑似ＣＩ回路５１６は電話機５２８に疑似ＣＩ信号を送出する回路である。疑似ＣＩ信号とは、通信回線５３０を介して相手側装置からＣＩ信号を受信した場合に、通信回線５３０から切断された状態にある電話機５２８を鳴動させるために、電話機５２８に対して送られる信号である。疑似ＣＩ回路５１６は、疑似ＣＩ信号を送出する必要がない場合、フック検知回路５１７に間欠オフフック電圧を出力する電源として機能する。これは、電話機５２８のオフフックまたはオンフックを検知するために実行される。このように疑似ＣＩ回路５１６が疑似ＣＩ信号を生成するか、または、間欠オフフック電圧を生成するかをＣＰＵ３５１は選択することができる。間欠回路５１３は、疑似ＣＩ回路５１６を駆動するための駆動信号を疑似ＣＩ回路５１６に送出する。ＣＰＵ３５１は間欠回路５１３に駆動信号を出力させることで疑似ＣＩ回路５１６が起動し、疑似ＣＩ回路５１６が疑似ＣＩ信号を電話機５２８に送出する。間欠オフフック電圧を生成する場合、駆動信号の制御はＣＰＵ３５１から間欠回路５１３に受け渡される。間欠回路５１３からの駆動信号にしたがって疑似ＣＩ回路５１６は間欠オフフック電圧を送出する。間欠オフフック電圧とは、オンとオフを繰り返す（間欠動作）オフフック電圧のことである。ＰＳＴＮ５６０は通信回線５３０が接続された公衆回線網である。相手ＦＡＸ５７０は、ＰＳＴＮ５６０を介してＦＡＸ制御部２０２に接続されている。保護素子５８０は、ヒューズ等で構成され、サージ電流などからＦＡＸ制御部２０２を保護する素子である。
【００２３】
図６はコモンモードチョークコイルＴ２の一般的な構造を示している。コモンモードチョークコイルＴ２は、第一巻線６０１、第二巻線６０２およびコア６０３を有している。第一巻線６０１および第二巻線６０２はコア６０３に巻かれているが、第一巻線６０１の巻方向と、第二巻線６０２の巻方向とは反対である。第一巻線６０１および第二巻線６０２にそれぞれコモンモード電流が流れると、第一巻線６０１の電磁誘導によりコア６０３の内部に発生する磁束の向きと第二巻線６０２の電磁誘導によりコア６０３の内部に発生する磁束の向きとが一致する。そのため、コア６０３がインダクタとして働く。これにより、コモンモードノイズが除去される。具体的には、図６においてＥからＧの方向にコモンモード電流が流れ、かつ、ＦからＨの方向にコモンモード電流が流れると、矢印方向の向きの磁束が発生する。なお、図６におけるＥＦＧＨと図５におけるＥＦＧＨは一致している。
【００２４】
図７は、比較例におけるスイッチングトランスＴ１の発生する漏れ磁束を、コモンモードチョークコイルＴ２が受けることを説明する図である。図７が示すように比較例ではスイッチングトランスＴ１とコモンモードチョークコイルＴ２との配置形態（角度）が同じである。つまり、スイッチングトランスＴ１のコア面とコモンモードチョークコイルＴ２のコア面とが平行である。コア面とは図７の紙面と平行な面である。スイッチングトランスＴ１のコア４０３の内部には磁束が発生する。スイッチングトランスＴ１のコア４０３からはさらに漏れ磁束ＢＴ１が発生する。この漏れ磁束ＢＴ１が、空気中を伝播し、コモンモードチョークコイルＴ２のコア６０３の内部を通過する。コモンモードチョークコイルＴ２のコア６０３の内部に磁束が発生すると、この磁束の変化により、起電力（誘導起電力）が発生して巻線に誘導電流が流れる。この漏れ磁束ＢＴ１によって発生する誘導電流がノイズ電流となって通信回線５３０に流れ出てしまう。これが、通信回線５３０の不要送出となりうる。なお、理論的には磁界が発生させる磁束の強さは以下の式で表現される。
【００２５】
Ｈ  ＝  Ｂ／  （４π  ・  μ０  ・  ｒ  ・  ｒ）  ・・・（１）
Ｈは磁束の強さである。Ｂは磁束密度である。πは円周率である。μ０は真空の透磁率である。ｒは距離である。この式は、ある位置で発生している磁束が距離の２乗に反比例して減衰することを意味している。このＢとｒは変数であり、Ｂは図７に示したＢＴ１に相当し、ｒはスイッチングトランスＴ１の中心とコモンモードチョークコイルＴ２の中心との間の距離に相当する。
【００２６】
図８（Ａ）は、図７に示したスイッチングトランスＴ１とコモンモードチョークコイルＴ２との配置関係における通信回線５３０への不要送出の測定結果を表した表である。ここでは、スイッチングトランスＴ１からの漏れ磁束が第一巻線６０１および第二巻線６０２を貫くようにスイッチングトランスＴ１とコモンモードチョークコイルＴ２とが配置されているものとする。あるいは、漏れ磁束がコア６０３内の磁束を変化させるようにコア６０３を通過するものと仮定する。図８（Ａ）における測定結果は、ニュージーランドの９０ｋＨｚにおける不要送出規格（規制値）に対するマージンを表している。距離ｒを１８０ｍｍにしたところ、測定結果は規制値に対して１．１ｄＢほどオーバーした。距離ｒを２８０ｍｍにしたところ規制値に対して６．０ｄＢのマージンが得られた。マージンの差は、７．１ｄＢであるが、これをエネルギーに換算すると２．３倍である。一方、２８０ｍｍの位置の磁束に対する１８０ｍｍの位置の磁束は２．４倍である。２．４という数値は、２８０ｍｍの２乗を１８０ｍｍの２乗で除算することで求められる。この数値は、通信回線５３０から漏洩しているエネルギーの倍率である２．３倍ともほぼ一致する。したがって、スイッチングトランスＴ１とコモンモードチョークコイルＴ２の距離ｒが不要送出規格の規制値に大きく影響することが分かる。スイッチングトランスＴ１とコモンモードチョークコイルＴ２の距離ｒは、他の国の不要送出規格に対しても影響するものであり、ニュージーランドの規格に限ったものではない。また、コモンモードチョークコイルＴ２に流れるノイズ電流の周波数は９０ｋＨｚに限らない。ノイズ電流の周波数はスイッチングトランスＴ１のスイッチング周波数やコア材の材料特性に応じて決まる。したがって、距離ｒは９０ｋＨｚ以外の周波数においても影響する場合がある。
【００２７】
図９はスイッチングトランスＴ１の発生する漏れ磁束ＢＴ１をコモンモードチョークコイルＴ２がほとんど受けないことを説明する図である。スイッチングトランスＴ１は漏れ磁束ＢＴ１を発生する。しかし、スイッチングトランスＴ１が発生する磁界の向きＦ１に対して、コモンモードチョークコイルＴ２のコア６０３は９０°傾斜するように、コモンモードチョークコイルＴ２がＦＡＸ制御部２０２の基板に固定されている。つまり、スイッチングトランスＴ１のコア４０３のコア面は磁界の向きＦ１と平行であるが、これはコモンモードチョークコイルＴ２のコア６０３のコア面の向きＦ２と直交している。このため、スイッチングトランスＴ１の漏れ磁束ＢＴ１が、空気中を伝播するが、コモンモードチョークコイルＴ２のコア６０３の内部にはほとんど影響しない。これは以下の理論式で説明される。磁界の発生方向に対するコア６０３の傾斜角度θと、コア６０３に発生する磁束は以下の式で表現される。
【００２８】
ＢＴ２  ＝  ＢＴ１・ｃｏｓθ      ・・・（２）
ここで、ＢＴ２は、漏れ磁束ＢＴ１の影響でコモンモードチョークコイルＴ２のコア６０３に発生する磁束（磁束密度）である。ＢＴ１はスイッチングトランスＴ１の中心からの距離ｒの位置における漏れ磁束（磁束密度）である。ｃｏｓθは、スイッチングトランスＴ１の磁界の向きＦ１に対する、コモンモードチョークコイルＴ２のコア６０３の傾斜角度θの余弦である。
【００２９】
（２）式は、磁界の向きＦ１に対する傾斜角度θが９０°であると、コモンモードチョークコイルＴ２のコア６０３に発生する磁束が０になることを意味している。このため、スイッチングトランスＴ１の磁界の向きＦ１に対して、コモンモードチョークコイルＴ２のコア６０３が９０°傾いて配置されると、コモンモードチョークコイルＴ２はスイッチングトランスＴ１の漏れ磁束によるノイズ電流を生じさせない。
【００３０】
図８（Ｂ）は傾斜角度と測定結果との関係を示している。ここでは、スイッチングトランスＴ１とコモンモードチョークコイルＴ２との間の距離ｒは１８０ｍｍである。傾斜角度θが０°と９０°のときに不要送出が測定されている。測定結果は、不要送出規格の規制値に対するマージンとして示されている。図８（Ａ）と同様に、図８（Ｂ）の測定結果は、ニュージーランドの９０ｋＨｚにおける不要送出規格に対するマージンを表している。ここで、傾斜角度θが０°である場合、１．１ｄＢのマージン不足となる。一方、傾斜角度θが９０°となるように、コモンモードチョークコイルＴ２を回転させると、８．０ｄＢのマージンが得られた。したがって、スイッチングトランスＴ１に対してコモンモードチョークコイルＴ２を傾斜させて配置することで、スイッチングトランスＴ１が発生させる漏れ磁束が不要送出に影響しにくくなる。
【００３１】
上述の実施例ではスイッチングトランスＴ１とコモンモードチョークコイルＴ２とがほぼ同一平面上に配置され、かつ、コモンモードチョークコイルＴ２のコア６０３がスイッチングトランスＴ１のコア４０３の磁界発生方向に対して９０°傾斜して配置される。つまり、コア４０３のコア面は基板と平行であるが、コア６０３のコア面は基板と直交している。しかし、スイッチングトランスＴ１のコア４０３の実装方向が変更されてもよい。つまり、コア４０３のコア面は基板と直交し、コア６０３のコア面は基板と平行となるように、スイッチングトランスＴ１とコモンモードチョークコイルＴ２とが基板に実装されてもよい。
【００３２】
スイッチングトランスＴ１が実装される第一基板と、コモンモードチョークコイルＴ２が実装される第二基板とが異なる基板である場合がある。この場合に、第一基板と第二基板とのなす角度を９０°にすることでスイッチングトランスＴ１が発生させる漏れ磁束が不要送出に影響しなくなる。ただし、コア４０３のコア面は第一基板と平行であり、コア６０３のコア面は第二基板と平行である。ここでは傾斜角度を９０°と例示しているが、不要送出が規制値以下となる傾斜角度であれば十分である。
【００３３】
＜まとめ＞
スイッチングトランスＴ１の一次巻線４０１は第一コイルの一例であり、二次巻線４０２は第二コイルの一例であり、コア４０３は第一コアの一例である。コア４０３には一次巻線４０１と二次巻線４０２とが巻かれている、一次巻線４０１に流れる一次側電流によってコア４０３の内部に発生した磁束によって二次巻線４０２に二次側電流が発生する。コモンモードチョークコイルＴ２の第一巻線６０１は第三コイルの一例であり、第二巻線６０２は第四コイルの一例であり、コア６０３は第二コアの一例である。コア６０３には第一巻線６０１と第二巻線６０２とが巻かれている。第一巻線６０１に流れるコモンモード電流によってコア６０３の内部に発生する磁束の向きと、第二巻線６０２に流れるコモンモード電流によってコア６０３の内部に発生する磁束の向きとが同一であることによりコモンモードノイズが低減される。とりわけ、コア４０３の内部に発生する磁束の向きとコア６０３の内部に発生する磁束の向きとが直交するようにスイッチングトランスＴ１とコモンモードチョークコイルＴ２とが同一または異なる基板上に実装されている。つまり、スイッチングによりコア４０３の内部に発生する磁束が変化しても、コモンモードチョークコイルＴ２の第一巻線６０１や第二巻線６０２には誘導電流（ノイズ電流）が発生しにくくなる。この配置では、コア４０３の内部に発生する磁束は第一巻線６０１や第二巻線６０２を貫くことにはならないからである。あるいは、この配置では、コア４０３の内部に発生する磁束は第一巻線６０１や第二巻線６０２を貫く磁束に影響を与えにくいからである。よって、ノイズが漏洩しにくい画像形成装置１０が提供される。
【００３４】
この条件を満たすためのスイッチングトランスＴ１とコモンモードチョークコイルＴ２との配置方法は種々考えられる。たとえば、コア４０３のコア面とコア６０３のコア面とが直交するように、コア４０３とコア６０３とが配置されてもよい。ここでコア面とは巻線に電流を流すことによってコア内部に発生する磁束と平行な面である。たとえば、コアが複数枚の導体板を重ねて形成されている場合、コア面は導体板と平行となる面である。コアが環状のコアであれば、コアに空いた穴の深さ方向と直交する面がコア面である。環はドーナツ（円環）であってもよいし、矩形の環であってもよい。
【００３５】
図４が示すように、スイッチングＦＥＴ４３６は一次巻線４０１に印加される一次交流電圧をスイッチングするスイッチング素子の一例である。整流回路４３８はスイッチングトランスＴ１において一次巻線４０１に印加された一次交流電圧が変換されて二次巻線４０２から出力された二次交流電圧を整流および平滑する整流平滑回路である。スイッチングＦＥＴ４３６、スイッチングトランスＴ１および整流回路４３８は直流電源２０１を形成している。直流電源２０１のようなスイッチング電源は一次側の電流がスイッチングされるため、スイッチングノイズの原因となりやすい。なお、ＤＣ−ＤＣコンバータなど、スイッチング動作を実行する回路には、本実施例を適用することで、ノイズの漏洩が抑制される。
【００３６】
図５に示したように、画像形成装置１０はファクシミリ制御部（ＦＡＸ制御部２０２）を備えることでファクシミリ通信を実行する。ＦＡＸ制御部２０２は、ノイズフィルタ５５６としてコモンモードチョークコイルＴ２を備えている。受信回路５５３は、通信回線網に対してコモンモードチョークコイルＴ２を介して接続されるインターフェース回路の一例である。相手ＦＡＸ５７０は通信回線網を介して接続された通信機器の一例である。コモンモードチョークコイルＴ２は通信回線５３０を介して外部から到来するノイズを低減するために設けられている。コモンモードチョークコイルＴ２にスイッチングトランスＴ１が近接して配置されると、スイッチングトランスＴ１の磁束の変化によってコモンモードチョークコイルＴ２にノイズ電流が発生しうる。したがって、スイッチングトランスＴ１の向きとコモンモードチョークコイルＴ２の向きとを工夫することで、ノイズが漏洩しにくい画像形成装置１０が提供される。
【００３７】
図７や図８（Ａ）を用いて説明したように、スイッチングトランスＴ１とコモンモードチョークコイルＴ２との間の距離はノイズのレベルに影響する。この距離を十分に長くできればコモンモードチョークコイルＴ２にノイズが発生しにくくなるが、画像形成装置１０の小型化を妨げてしまう。たとえば、コア４０３とコア６０３との距離は、コア４０３の内部に発生する磁束の向きとコア６０３の内部に発生する磁束の向きとが平行となるようにコア４０３とコア６０３が配置されると、通信回線網に対する不要送出が所定の規制値以下とならない距離である。しかし、このような距離であっても、コア４０３の内部に発生する磁束の向きとコア６０３の内部に発生する磁束の向きとが直交するようにコア４０３とコア６０３が配置されると、通信回線網に対する不要送出が規制値以下となる。つまり、画像形成装置１０の小型化のために、スイッチングトランスＴ１とコモンモードチョークコイルＴ２とを近づけて配置しても、本実施例によれば、不要送出が規制値以下となる。
【００３８】
スイッチングトランスＴ１とコモンモードチョークコイルＴ２との配置が上記の条件を満たす限り、スイッチングトランスＴ１とコモンモードチョークコイルＴ２とが同一の基板上に実装されていてもよい。同様に、スイッチングトランスＴ１が第一基板上に実装され、コモンモードチョークコイルＴ２が第一基板とは異なる第二基板上に実装されていてもよい。また、第一基板の実装面と第二基板の実装面とがほぼ同一平面となるように第一基板と第二基板とが画像形成装置に固定されていてもよい。なお、コア４０３とコア６０３とを直交させるために、第一基板と第二基板とが直交するように第一基板と第二基板とが画像形成装置１０に固定されていてもよい。
【００３９】
図９を用いて説明したように、コア４０３とコア６０３とを直交させることは必須ではない。コア４０３の内部に発生した磁束のうちコア４０３の外部に漏洩した磁束がコア６０３を貫くことでコモンモードチョークコイルＴ２に発生するノイズ電流が所定の規制値以下となるようにコア４０３のコア面に対してコア６０３のコア面が傾斜していればよい。コア４０３のコア面とコア６０３のコア面とがなす傾斜角度は９０度であれば理想的である。
【００４０】
また、コア４０３とコア６０３との距離の調整と、コア４０３のコア面とコア６０３のコア面とがなす傾斜角度の調整との組み合わせによって、ノイズ電流が所定の規制値以下に低減されてもよい。つまり、コア４０３から外部に漏洩した磁束がコア６０３を通過することで発生するノイズ電流が所定の規制値以下となるように、コア４０３とコア６０３とが離間し、かつ、コア４０３のコア面とコア６０３のコア面とが傾斜していてもよい。
【符号の説明】
【００４１】
１０…画像形成装置、２０１…直流電源、２０２…ＦＡＸ制御部、Ｔ１…スイッチングトランス、Ｔ２…コモンモードチョークコイル
【図１】
2018064185.tif 000003
【図２】
2018064185.tif 000004
【図３】
2018064185.tif 000005
【図４】
2018064185.tif 000006
【図５】
2018064185.tif 000007
【図６】
2018064185.tif 000008
【図７】
2018064185.tif 000009
【図８】
2018064185.tif 000010
【図９】
2018064185.tif 000011